(57)【要約】【課題】建築駆体の変更等の大掛かりな大工工事を伴うことなく、浴室の内寸を拡大できるよう形成したスペース拡張型浴室において、洗い場の使用スペースを拡張し、洗い場の使用時に風呂蓋やタオル掛け等に身体が触れたり、窮屈な姿勢を強いられることを防止し、快適に入浴できるようにする。【解決手段】浴室１のスペースを、浴室１と脱衣室２との境界部３の壁厚スペースまで延長しているスペース拡張型浴室であり、浴室１の洗い場６を、上記の壁厚スペースまで延長すると共に、壁厚スペースの床面７と略同じ高さに形成する。【選択図】　　　図１
2004137729.tif 000002
【特許請求の範囲】
【請求項１】
浴室のスペースが、浴室と脱衣室との境界部の壁厚スペースまで延長されているスペース拡張型浴室であって、上記の浴室の洗い場が、上記の壁厚スペースまで延長されると共に、壁厚スペースの床面と略同じ高さに形成されていることを特徴とするスペース拡張型浴室。
【請求項２】
請求項１記載のスペース拡張型浴室であって、浴室と脱衣室との境界部の間仕切り壁が透光状に形成されていることを特徴とするスペース拡張型浴室。
【請求項３】
請求項１又は２記載のスペース拡張型浴室であって、壁厚スペースに、風呂蓋を起立状に保持するためのホルダーが設けられていることを特徴とするスペース拡張型浴室。
【請求項４】
請求項１乃至３の何れかに記載のスペース拡張型浴室であって、壁厚スペースの床面が、浴室の内方に向かって下り勾配の傾斜面に形成されていることを特徴とするスペース拡張型浴室。
【請求項５】
請求項１乃至４の何れかに記載のスペース拡張型浴室であって、浴室と脱衣室との境界部に設けられている出入戸が片引き戸であり、この片引き戸を案内するレールが間仕切り壁の内側の洗い場の位置に設けられていることを特徴とするスペース拡張型浴室。
【発明の詳細な説明】
【０００１】
【発明の属する技術分野】
本発明は、スペース拡張型浴室に関し、更に詳しくは浴室と脱衣室との境界部を有効に活用し、浴室等の使い勝手の向上を図ることができるよう形成したスペース拡張型浴室に関するものである。
【０００２】
【従来の技術】
従来この種の先行事例としては、例えば浴室スペースを、脱衣室との間の、建築駆体の土台上の仕切りスペースまで延長させ、この仕切りスペースを含んで形成したものがある（例えば特許文献１参照）。
又従来、浴室出入口側の片側にドアを設け、このドアの隣りの袖壁を収納部に形成し、この収納部を浴室側又は脱衣室側に開口する嵌め込み式の収納ボックスで形成したものや、又浴室側からも脱衣室側からも扉を開閉できる収納棚を、間仕切り壁に形成したもの、更には浴室と脱衣室とを厚さ２４ｍｍの壁パネルを介して隣接配置させたことを特徴とするサニタリ構造も知られている（例えば特許文献２、同３、同４参照）。
【０００３】
【特許文献１】
特開２００２ー１８８３０４号公報
【特許文献２】
特公昭５６ー３２４２３号公報
【特許文献３】
特開平９ー７２１１８号公報
【特許文献４】
特開２００１ー６５１８１号公報
【０００４】
【発明が解決しようとする課題】
ところで浴室は、大掛かりな大工工事等を伴うことなく、又脱衣室の占有スペースに大きな変更や支障を来たすことなく、簡単、迅速に、又低コストで浴室空間を拡張でき、快適に入浴できるよう形成されているのが望ましい。
そこで本出願人は、特許文献１記載の発明のように、拡張した仕切りスペースに、浴槽の短幅方向のフランジを配置させ、長い大型の浴槽の設置が可能な浴室を提案した。ただこの従来例は、上記の通り、大型浴槽の設置を通じて入浴環境の快適性を実現させるものであり、洗い場の面積それ自体を広げるものではなかった。
従って従来品の場合、入浴者は、洗髪や身体を洗う際に、例えば洗い場の壁面に立て掛けられている風呂蓋や、通常、浴室内に突き出た状態で壁面に取り付けられているタオル掛け等に身体が触れ易く、その結果窮屈な姿勢を強いられることがあった。換言すると、従来品は、洗い場としての使用スペースの拡張（洗い場の手狭さの解消）を図ることができるものではなく、又拡張した仕切りスペースを有効活用する点で不十分であった。
【０００５】
本発明は、このような従来の問題点に鑑み、提案されたものである。
従って本発明の技術的課題は、建築駆体の変更等の大掛かりな大工工事を伴うことなく、浴室の内寸を拡大できるよう形成したスペース拡張型浴室において、洗い場の使用スペースを拡張し、洗い場の使用時に風呂蓋やタオル掛け等に身体が触れたり、窮屈な姿勢を強いられることを防止し、快適に入浴できるよう形成したスペース拡張型浴室を提供することにある。
【０００６】
【課題を解決するための手段】
本発明は、上記の課題を解決するために、次のような技術的手段を採る。
【０００７】
即ち本発明品は、図１等に示されるように、浴室１のスペースが、浴室１と脱衣室２との境界部３の壁厚スペースまで延長されているスペース拡張型浴室であって、上記の浴室１の洗い場６が、上記の壁厚スペースまで延長されると共に、壁厚スペースの床面７と略同じ高さに形成されていることを特徴とする（請求項１）。
【０００８】
ここで、略同じ高さに、とは、洗い場６が壁厚スペースの床面７と全く同じ場合は勿論のこと、洗い場６として使用できる範囲であれば多少の段差がある場合も含む、ということを意味する。
本発明は、洗い場６のスペースをできるだけ広くとれるよう、例えば間仕切り壁４を薄くすると共に、浴室１と脱衣室２の境界部３において、脱衣室２の側にぎりぎりまで間仕切り壁４を寄せて形成するのが好ましい。ただ本発明の場合、洗い場６の延長範囲（壁厚スペースにおける洗い場６の深度）は、脱衣室２の床面積の確保やドアの種類等との兼ね合いで、適宜選定されるので良い。
【０００９】
又本発明は、浴室１と脱衣室２との境界部３の間仕切り壁４が透光状に形成されているのが好ましい（請求項２）。
【００１０】
なぜならこれによると、間仕切り壁４を介して、浴室１と脱衣室２との間で相互の採光が可能になるからである。ここで、透光状とは、光を通すことが可能な状態を意味し、透明である場合には限られない。間仕切り壁４は、具体的には透光性のアクリル板等の樹脂板４ａや、ガラス板等によって実現される。
【００１１】
又本発明は、図４に示されるように、壁厚スペースに、風呂蓋１２を起立状に保持するためのホルダー１３が設けられているのが好ましい（請求項３）。
【００１２】
なぜならこの場合は、風呂蓋１２が倒れることを防止でき、体裁良く壁厚スペースに風呂蓋１２を配置できるからである。ホルダー１３は、具体的には風呂蓋１２を引っ掛けて吊るすためのフックや、風呂蓋１２の転倒を防止できるよう、例えば壁厚スペースの左右の側部に、間仕切り壁４に沿って内方に突き出させる転倒防止バー等により実現される。この場合ホルダー１３は、間仕切り壁４と一体成形されるのでも、間仕切り壁４等に後付けされるのでも良い。
【００１３】
又本発明は、図５に示されるように、壁厚スペースの床面７が、浴室１の内方に向かって下り勾配の傾斜面に形成されているのが好ましい（請求項４）。
【００１４】
なぜならこの場合は、風呂蓋１２から流れ落ちる水や、洗い場６で身体を洗う際に飛び散る水を浴室１の内方に円滑に導いて排水でき、壁厚スペースの床面７の水捌け（水切り）を良くすることができるからである。
【００１５】
又本発明は、浴室１と脱衣室２との境界部３に設けられている出入戸８が片引き戸であり、この片引き戸を案内するレール１１が間仕切り壁４の内側の洗い場６の位置に設けられているのが好ましい（請求項５）。
【００１６】
なぜならこれによると、脱衣室２の側の間仕切り壁４の外面にタオル等を吊下げたり、間仕切り壁４の外面に沿わせて洗濯機等を置くことができ、脱衣室２を効率良く使用できるからである。又この場合は、レール１１が浴室１内に設けられているため、シャワー等を使用してレール１１の箇所を簡単、迅速に掃除できるからである。
【００１７】
【発明の実施の形態】
以下、本発明の好適な一実施形態を添付図面に従って説明する。
【００１８】
１は浴室であり、２はこの浴室１に隣接する脱衣室である。浴室１のスペースは、浴室１と脱衣室２との境界部３の壁厚スペースまで延長されて形成されている。境界部３の幅（壁厚）は、この実施形態では約１５０ｍｍであり、境界部３の間仕切り壁４は厚さが２０ｍｍに選定されている。間仕切り壁４は、脱衣室２の床面積の確保との兼ね合いで、この実施形態では土台５の略中央部に配置されている。
【００１９】
又６は、洗い場である。この洗い場６は、上記の壁厚スペースまで延長されると共に、壁厚スペースの床面７と略同じ高さに形成されている。壁厚スペースの床面７は、出入戸８や間仕切り壁４が取り付けられる枠材９の下枠９ａに固定された床部材１０で形成されている。又この床面７は、洗い場６と一体性を持たせ、入浴者に洗い場６の広がり感を印象付けることができるよう、洗い場６と床部材１０は同材質で且つ同色に形成されている。又この壁厚スペースの床面７は、水捌け（水切り）が良くなるよう、この実施形態では図５に示されるように、浴室１の内方に向かって下り勾配の傾斜面に形成されている。
【００２０】
上記の出入戸８は、この実施形態では片引き戸で構成されている。出入戸８としてのこの片引き戸は、例えば樹脂製面材の戸で形成されている。又上記の間仕切り壁４は、この片引き戸に合わせて同材質の樹脂板４ａを備えて透光状に形成されている。間仕切り壁４は、アルミニウム材等の枠４ｂの内側に樹脂板４ａが嵌め込まれ、枠４ｂとの接合箇所が水密状に形成されると共に、枠材９との取付箇所が水密処理されて設けられている。なお浴室１の出入口の踏み面には、出入時の転倒を防止できるよう、滑り止め加工が施されている。
又１１は、出入戸８としての片引き戸を案内するレールである。このレール１１は、この実施形態では間仕切り壁４の外側にあたる、脱衣室２の側に設けられている。
【００２１】
又この実施形態の本発明は、図４に示されるように、上記の壁厚スペースに、風呂蓋１２を起立状に保持するためのホルダー１３が設けられている。このホルダー１３は、例えば風呂蓋１２を引っ掛けて吊り下げて保持できるよう、間仕切り壁４の内面に形成されている。
【００２２】
次に本発明品の使用例を説明する。
本発明の場合は、上記の通り、洗い場６が壁厚スペースまで延長されている。従って入浴者は、ゆったりとした姿勢で洗髪や身体を洗うことができ、又この壁厚スペースの箇所に、風呂蓋１２を吊るしたり、立て掛けて使用する。
この場合、風呂蓋１２等から壁厚スペースの床面７に伝わり落ちる水は、壁厚スペースの床面７の勾配によって浴室１の内方に導かれて排水される。
【００２３】
以上の処において、上例の場合は、上記の通り、脱衣室２の床面積の確保との兼ね合いで間仕切り壁４が土台５の略中央部に配置されているが、本発明は間仕切り壁４を脱衣室２の側にもっと寄せて配置するのでも良い。この場合、境界部３の幅（壁厚）が、例えば約１５０ｍｍの場合は、間仕切り壁４の厚さを差し引いた分（間仕切り壁４の厚さが２０ｍｍの場合は約１３０ｍｍ）、洗い場６を広くでき、この分が壁厚スペースの床面７の幅となる。
【００２４】
又本発明の場合は、壁厚スペースに、例えばバー状のタオル掛け１４（図６、図７参照）が設けられたり、その他小物類の収納棚等が設けられるのでも良い。
【００２５】
又本発明の場合、浴室１の出入戸８は、上例のような片引き戸には限定されず、ドアやアコーディオン式の扉に形成されるのでも良い。なお出入戸８が、片引き戸で構成される場合は、図８、図９に示されるように、レール１１が浴室１の内側に設けられるのでも良い。この場合は、片引き戸のレール１１を脱衣室２側に設ける場合に比べ、間仕切り壁４の外側に洗濯機等を沿わせて効率良く配置でき、又レール１１が脱衣室２の側に露出しない分、間仕切り壁４を脱衣室２の側に寄らせて形成でき、より洗い場６のスペースを拡張できる。
【００２６】
【発明の効果】
以上説明したように本発明は、浴室のスペースを、浴室と脱衣室との境界部の壁厚スペースまで延長しているスペース拡張型浴室であって、上記の浴室の洗い場を、上記の壁厚スペースまで延長すると共に、壁厚スペースの床面と略同じ高さに形成しているものである。
【００２７】
従って本発明品の場合は、浴室の洗い場を壁厚スペースまで拡大でき、この壁厚スペースを風呂蓋の収納箇所や、タオル掛け等の取り付け箇所として利用できる。それ故これによれば、壁厚スペースを有効に活用でき、入浴者は風呂蓋やタオル掛け等に身体が触れたり、窮屈な姿勢を強いられることなく、快適に入浴できる。
【図面の簡単な説明】
【図１】本発明浴室の好適な一実施形態を示し、Ａは要部平面図、ＢはＡのＢ―Ｂ線における要部拡大断面図である。
【図２】同上浴室の縦断面図である。
【図３】同上浴室の脱衣室側から浴室を見た要部縦断面図である。
【図４】同上浴室の壁厚スペースの使用例を説明するための要部斜視図である。
【図５】図４のＶ―Ｖ線における要部断面図である。
【図６】同上浴室の壁厚スペースの他の使用例を説明するための要部平面図である。
【図７】図６の実施形態の要部斜視図である。
【図８】出入戸のレールを浴室内に設けた例の要部斜視図である。
【図９】図８の実施形態の要部平面図である。
【符号の説明】
１　　浴室
２　　脱衣室
３　　境界部
４　　間仕切り壁
５　　土台
６　　洗い場
７　　壁厚スペースの床面
【図１】
2004137729.tif 000003
【図２】
2004137729.tif 000004
【図３】
2004137729.tif 000005
【図４】
2004137729.tif 000006
【図５】
2004137729.tif 000007
【図６】
2004137729.tif 000008
【図７】
2004137729.tif 000009
【図８】
2004137729.tif 000010
【図９】
2004137729.tif 000011